(57)【要約】      （修正有）【課題】簡単に掛け布団とベットマットに装着でき、掛け布団カバーとベットマットカバーを容易に係合でき、眠る時足の挿入が容易で、足先空間が確保でき、就寝中寝返り等により掛け布団がベットからずり落ちるのを防止する、ベット用ずれ防止布団カバーセットを提供する。【解決手段】上側布と下側布からなる袋状の掛け布団カバーにおいて、上側布の中央部分に開口部を設け、下側布外面の左右側端部及び、一方側の裾端部にそれぞれ係止手段を設けた掛け布団カバーと、マットレスの底面以外の５面を包む略箱状のマットカバーにおいて、全周端末部分を折り返して孔を設け、該孔に紐を通し、左右の側面部分及び、一方側の裾面部に沿わせて、両端部分に傾斜部分を有し、中央部分に直線部分を有し、前記傾斜部分及び、直線部分にそれぞれ前記係止手段に係合する係止手段を設けた、ずれ防止布を縫合したマットカバーとから構成する。【選択図】図１
0003146335.tif 000002
【実用新案登録請求の範囲】
【請求項１】
上側布と下側布からなる袋状の掛け布団カバーにおいて、上側布の中央部分に開口部を設け、下側布外面の左右側端部及び、一方側の裾端部にそれぞれ係止手段を設けた掛け布団カバーと、マットレスの底面以外の５面を包む略箱状のマットカバーにおいて、全周端末部分を折り返して孔を設け、該孔に紐を通し、左右の側面部分及び、一方側の裾面部に沿わせて、両端部分に傾斜部分を有し、中央部分に直線部分を有し、前記傾斜部分及び、直線部分にそれぞれ前記係止手段に係合する係止手段を設けた、ずれ防止布を縫合したマットカバーとから構成されることを特徴とするベット用ずれ防止布団カバーセット
【請求項２】
前記係止手段が面状ファスナーであることを特徴とする請求項１に記載のベット用ずれ防止布団カバーセット
【考案の詳細な説明】
【技術分野】
【０００１】  簡単に掛け布団とベットマットに装着でき、掛け布団カバーとベットマットカバーを容易に係合でき、眠る時足の挿入が容易で、足先空間が確保でき、就寝中寝返り等により掛け布団がベットからずり落ちるのを防止する、ベット用ずれ防止布団カバーセットを提供する。
【背景技術】
【０００２】  従来から、ベットで眠る時、就寝中の寝返り等により掛け布団が左右に移動し、ベットから落下することがよく起こっている。これを防止するために検討された考案が、文献１、文献２及び、文献３等に開示されている。  文献１の先行技術は、ベットスプレッドの足元に掛け布団及び、ベットマットを収納する形状を設けた構成になっている。文献２の先行技術は、掛け布団カバーの表面裾部の両角に三角形状の布を設け、この三角形状の布を裏側に折り返して、敷布団の両角を包み込む構成である。文献３の先行技術は、ベットマットの下に、移動防止用帯状体を設置し、その移動防止用帯状体の両端に設けたボタンと、掛け布団カバーの両側に設けられた連結布状片のボタンホールを係合する構成になっている。
【文献１】
特開平０７−２３６５５６    ベットスプレッド及び足元カバー
【文献２】
特開平０９−２３４１４７    布団カバー
【文献３】
特開平０９−２２４７９９    ベット用布団のずれ防止具
【考案の開示】
【考案が解決しようとする課題】
【０００３】  上記文献１に開示されている先行技術は、ベットスプレッドの端末部が箱状になっており、掛け布団及び、ベットマットも包み込む構成になっているため、就寝中の掛け布団のずれ防止は可能であるが、眠る時体にベッドスプレッドの重さが負荷され、足先部分の隙間が狭くなり、圧迫される可能性がある。
また、文献２に開示された先行技術は、掛け布団カバーの表面裾部に設けられた三角形状の布を折り返して敷き布団を包み込むため、文献１同様足先部分の隙間が狭くなり、圧迫される可能性がある。また寝返りが多い人の場合、裾部両角部だけの保持では掛け布団が外れてベットから落下する可能性もある。
文献３に開示されている先行技術は、ベットマットの下に移動防止用帯状体を設置し、その両端に設けられたボタンと掛け布団カバーの両側に設けられた連結布状片のボタンホールを係合する構造であるが、左右一箇所づつの係合では寝返りが多い人の場合、掛け布団の上部分がずれてベットから落下する可能性もある。
本考案は、このような従来の構成が有していた問題を解決しようとするものであり、簡単に掛け布団とベットマットに装着でき、掛け布団カバーとベットマットカバーを容易に係合でき、眠る時足の挿入が容易で、足先空間が確保でき、就寝中寝返り等により掛け布団がベットからずり落ちるのを防止する、ベット用ずれ防止布団カバーセットを提供する。
【課題を解決するための手段】
【０００４】  本考案は、上記目的を達成するために、上側布と下側布からなる袋状の掛け布団カバーにおいて、上側布の中央部分に開口部を設け、下側布外面の左右側端部及び、一方側の裾端部にそれぞれ係止手段を設けた掛け布団カバーと、マットレスの底面以外の５面を包む略箱状のマットカバーにおいて、全周端末部分を折り返して孔を設け、該孔に紐を通し、左右の側面部分及び、一方側の裾面部に沿わせて、両端部分に傾斜部分を有し、中央部分に直線部分を有し、前記傾斜部分及び、直線部分にそれぞれ前記係止手段に係合する係合手段を設けた、ずれ防止布を縫合したマットカバーとから構成する。
【考案の効果】
【０００５】    この考案の効果として下記の５項目が挙げられる。
１．掛け布団カバーの左右側端部分及び、一方側の裾部分の３ヶ所でベットマットカバ      ーと係合しているため、就寝中のずれ発生の可能性が少ない。
２．ずれ防止布の側面部分が傾斜しているため、寝る時足先の挿入が容易で、就寝中の      足先の空間が確保され足先を圧迫されない。
３．係止手段として面状ファスナーを使用しているため、装着、交換が容易にできる。
４．面状ファスナーのオス型を掛け布団カバー側に設けたため、接触した場合の体への      違和感が少ない。
５．ベットマットカバーの装着、交換も端末部分に設けた紐を引っ張ることにより、保    持され、紐を緩めることにより外すことも容易であり、ベットマットの下まで通す必    要がない。
【考案を実施するための最良の形態】
【０００６】  以下、本考案の実施の形態について、図１〜図８に基き、実施例及び使用法について説明する。
【実施例】
【０００７】  掛け布団カバー２は、図４〜図５に示すように、上側布１２と下側布１３からなり、周辺を縫着して、袋状に形成されている。図４のように上側布１２の外側中央部分に縦方向の掛け布団２２を収納するための開口部８を設ける。この開口部８にはファスナー９を設けて開閉可能にする。【０００８】  図５に示すように下側布１３の外面、左右側端部分１４の約半分及び、一方側の裾端部分１５の３箇所に面状ファスナー（メス型）６を縫着又は、接着する。【０００９】  掛け布団カバー２の内側の、掛け布団収納部分２４の両側端部分にそれぞれ３ヶ所、合計６ヶ所の掛け布団固定紐を縫着する（不図示）。【００１０】  ベットマットカバー３は、ベットマットカバー本体４とずれ防止布５とから構成されている。ベットマットカバー本体４は、図２のように布製で、底辺を除く５面からなる略箱形状とする。この外周端部２７を全周折り返して縫着し、孔１７を形成する。この孔１７に布製の紐１１を通す。前記孔１７の左右側面の中央部分にそれぞれ切欠き部分１０を設け、この部分から前記紐１１を外に出し、ストッパー２１を設ける。このストッパー２１によってベットマットカバー３のベットマット２３への締め付け具合を調節する。【００１１】  上記のように、外周端部２７に設けられた、孔１７に紐１１を通した後、図３に示すような両端部分に傾斜部１６を有し、中央部分に直線部分１９を有するずれ防止布５を、傾斜部分１６はベットマットカバー本体４の両側面部１８に、直線部分１９はベットマットカバー本体４の一方側の裾面部分２０に沿わせて縫着する。ここで、ずれ防止布５の直線部分１９の幅は、ベットマット２３の高さより広く設定する。【００１２】  前記ずれ防止布５の傾斜部分１６及び、直線部分１９にはそれぞれ面状ファスナー（オス型）７を縫着又は、接着する。この面状ファスナー（オス型）７を縫着又は、接着する位置は、前記掛け布団カバー２に設けた、３ヶ所の面状ファスナー（メス型）６の取り付け位置と一致させる。
ここで使用する面状ファスナー６，７の型を逆にしても係合は可能であるが、体に接触する可能性が多い、掛け布団カバー２側に面状ファスナー（メス型）６を使用したほうが、違和感が少ないので採用した。【００１３】  上記実施例では、係止手段として面状ファスナー６，７を使用した場合を説明したが、面状ファスナー６，７の代わりにボタンとボタンホールを使用して、同様の構成を採用しても、この考案が実施できることは当然である。【００１４】  次に本考案の使用方法について説明する。図４の掛け布団カバー２の開口部８のファスナー９を開け、掛け布団２２を収納し、掛け布団カバー２の内側に設けられた、６ヶ所の固定紐（不図示）を、掛け布団２２の外周に設けられた係止具（不図示）にそれぞれ結び付け、開口部８のファスナー９を閉じる。【００１５】  図１のように、ベットマットカバー３をベットマット２３に、足先側にずれ防止布５がくるように被せ、ベットマットカバー本体４の外周端部２７に設けられた紐１１を引っ張り、ストッパー２１を使用して、ベットマットカバー３をベットマット２３に装着する。【００１６】  ベットマットカバー３を装着した後、下に垂れ下がっているずれ防止布５の端末を折り返して上に揚げ、ベントマットカバー３の表面に載せる。【００１７】  掛け布団２２が収納された掛け布団カバー２を、ベットマットカバー３の上に設置し、ベットマットカバー３の、ずれ防止布５の３ヶ所の面状ファスナー（オス型）７を、それぞれ対応する掛け布団カバー２の、３ヶ所の面状ファスナー（メス型）６と係合させる。これにより、この考案の使用前の準備は完了する。この後、使用する人が、掛け布団２２を半分程度開き、足先から入って図６のように休めば、掛け布団２２が就寝中ベットから、ずり落ちることもなく快適な睡眠が得られる。
【図面の簡単な説明】
【００１８】
【図１】  本考案マットカバー斜視図
【図２】  本考案マットカバー本体斜視図
【図３】  ずれ防止布
【図４】  本考案掛け布団カバー上面斜視図
【図５】  本考案掛け布団カバー下面斜視図
【図６】  本考案の使用状態断面図
【図７】  ベットマットカバー  Ｂ−Ｂ断面矢視図
【図８】  掛け布団カバー  Ａ−Ａ断面矢視図
【符号の説明】
【００１９】１    本考案のベット用ずれ防止布団カバーセット
２    掛け布団カバー
３    ベットマットカバー
４    ベットマットカバー本体
５    ずれ防止布
６    面状ファスナー（メス型）
７    面状ファスナー（オス型）
８    開口部
９    ファスナー
１０  切欠部分
１１  紐
１２  上側布
１３  下側布
１４  側端部分
１５  裾端部分
１６  傾斜部分
１７  孔
１８  側面部分
１９  直線部分
２０  裾面部分
２１  紐ストッパー
２２  掛け布団
２３  ベットマット
２４  掛け布団収納部分
２５  人体頭部
２６  枕
２７  外周端部
【図１】
0003146335.tif 000003
【図２】
0003146335.tif 000004
【図３】
0003146335.tif 000005
【図４】
0003146335.tif 000006
【図５】
0003146335.tif 000007
【図６】
0003146335.tif 000008
【図７】
0003146335.tif 000009
【図８】
0003146335.tif 000010